(57)【要約】【課題】カバー体が目地方向にずれた場合に、自動的に原位置に復帰させることによって、保持受枠の垂直縁とカバー体の端縁との間に大きな隙間が生じたままになることを防止し得る原位置復帰手段を備えた床用目地カバー装置を提供する。【解決手段】カバー体Ｃの一端が乗載される水平受縁１９ａと該水平受縁１９ａの外端から上方に立ち上がる垂直縁１９ｂとを備えた保持受枠１９の、その水平受縁１９ａに配設されて、目地ｓの幅方向に沿って延在し、垂直縁１９ｂ方向に向けて下り勾配で傾斜する案内傾斜面２１を備えた複数の案内部材２０と、カバー体Ｃの一端の下部に配設され、前記案内部材２０を下方から遊嵌可能な長孔状に形成されて、保持受枠１９の垂直縁１９ｂ側に位置する孔端１６ａが案内部材２０の案内傾斜面２１上に当接する挿通孔１６を備えた複数の連結板部１８とによって原位置復帰手段を構成した。【選択図】図５
2011047103.tif 000002
【特許請求の範囲】
【請求項１】
隣接する建造物の床相互間の目地に差し渡されるカバー体の一端が、一方の床の側縁に連結手段を介して連結されるとともに、該カバー体の他端を自由端とし、該自由端が他方の床の側縁に摺動可能に乗載されてなる床用目地カバー装置において、
カバー体の一端が乗載される水平受縁と該水平受縁の外端から上方に立ち上がる垂直縁とを備えた保持受枠の、その水平受縁に配設されて、目地の幅方向に沿って延在し、垂直縁方向に向けて下り勾配で傾斜する案内傾斜面を備えた複数の案内部材と、
カバー体の一端の下部に配設され、前記案内部材を下方から遊嵌可能な長孔状に形成されて、保持受枠の垂直縁側に位置する孔端が案内部材の案内傾斜面上に当接する挿通孔を備えた複数の連結板部と
からなる原位置復帰手段を備えてなることを特徴とする床用目地カバー装置。
【請求項２】
案内部材の目地側に、保持受枠の水平受縁に立設された複数の連結杆を夫々配設し、かつ該連結杆の上部に連結板部の挿通孔より広幅の抜け止め部材を着脱可能に装着することにより、カバー体の一端を一方の床の側縁に連結する連結手段が構成されていることを特徴とする請求項１記載の床用目地カバー装置。
【請求項３】
案内部材の上部に、連結板部の挿通孔より広幅の抜け止め部材を着脱可能に装着することにより、カバー体の一端を一方の床の側縁に連結する連結手段が構成されていることを特徴とする請求項１記載の床用目地カバー装置。
【発明の詳細な説明】
【技術分野】
【０００１】
本発明は、隣接する建造物の床相互間の目地を覆う床用目地カバー装置に関する。
【背景技術】
【０００２】
緩衝機能を備えた免震装置によって下部が支持された建造物にあっては、地震時における水平方向の揺れが大きくなる傾向がある。このような免震構造の建造物の周囲には、隣接する人工地盤からなる建造物との間に比較的広幅の目地が形成されており、かかる免震構造の建造物の目地に好適に使用し得る床用目地カバー装置が、本願出願人によって既に提案されている（例えば、特許文献１参照）。
【０００３】
かかる床用目地カバー装置は、隣接する建造物の床相互間の目地に差し渡されるカバー体の一端が、一方の床の側縁に連結手段を介して揺動可能に連結されるとともに、該カバー体の他端を自由端とし、該自由端が他方の床の側縁に摺動可能に乗載されている。そして、地震時において、一方の建造物と他方の建造物とが近接したり離れたりするように相対変位すると、カバー体の自由端が他方の建造物の床上を摺動してその相対変位に追従するようになっている。
【０００４】
また、図９（Ａ）に示すように、カバー体Ｃの一端を連結する従来の連結手段ａとしては、カバー体Ｃの端部下面でカバー体Ｃの両側端部の近傍位置に上下方向の挿通孔ｃを備えた連結板ｂを夫々配設する一方、建造物Ａの床ｆの側縁に目地ｓの長手方向に沿って配設された保持受枠ｄの水平受縁ｅにボルトからなる複数の連結杆ｇを前記各連結板ｂの挿通孔ｃの形成位置に対応させて夫々立設し、各連結杆ｇを前記挿通孔ｃに夫々下方から遊嵌した状態でコイル状の圧縮ばねｈを外嵌して、その上端にナットからなるばね受け部材ｊを螺着することにより、該圧縮ばねｈの弾発力によってカバー体Ｃの一端を下方に付勢して揺動可能に連結するように構成されている。
【先行技術文献】
【特許文献】
【０００５】
【特許文献１】特開平１０−３１７５１６号公報
【発明の概要】
【発明が解決しようとする課題】
【０００６】
ところで、従来の連結手段ａにあっては、連結板ｂの挿通孔ｃに遊嵌された連結杆ｇを介してカバー体Ｃの一端を揺動可能とするために、連結杆ｇの直径（通常１６ｍｍφ程度）に比して連結板ｂの挿通孔ｃの直径（通常２２ｍｍφ程度）が大きく設定されており、また、保持受枠ｄの垂直縁ｋ（図９（Ａ）参照）とカバー体Ｃの端縁との間にもカバー体Ｃを揺動可能とするための比較的広い隙間ｎ（通常４ｍｍ程度）が設けられている。このため、地震或いはカバー体Ｃ上の通行による衝撃や振動等によって、カバー体Ｃが目地ｓ方向にずれると、図９（Ｂ）に示すように、保持受枠ｄの垂直縁ｋとカバー体Ｃの端縁との間の隙間ｎが大きく開いてしまい、この隙間ｎに歩行者のハイヒールの踵が入り込む虞があった。
【０００７】
本発明は、かかる問題点を解消するためになされたものであって、カバー体が目地方向にずれた場合に、自動的に原位置に復帰させることによって、保持受枠の垂直縁とカバー体の端縁との間に大きな隙間が生じたままになることを防止し得る床用目地カバー装置を提供することを目的とするものである。
【課題を解決するための手段】
【０００８】
本発明は、隣接する建造物の床相互間の目地に差し渡されるカバー体の一端が、一方の床の側縁に連結手段を介して連結されるとともに、該カバー体の他端を自由端とし、該自由端が他方の床の側縁に摺動可能に乗載されてなる床用目地カバー装置において、カバー体の一端が乗載される水平受縁と該水平受縁の外端から上方に立ち上がる垂直縁とを備えた保持受枠の、その水平受縁に配設されて、目地の幅方向に沿って延在し、垂直縁方向に向けて下り勾配で傾斜する案内傾斜面を備えた複数の案内部材と、カバー体の一端の下部に配設され、前記案内部材を下方から遊嵌可能な長孔状に形成されて、保持受枠の垂直縁側に位置する孔端が案内部材の案内傾斜面上に当接する挿通孔を備えた複数の連結板部とからなる原位置復帰手段を備えてなることを特徴とする床用目地カバー装置である。
【０００９】
ここで、案内傾斜面の傾斜角度は、該案内傾斜面上に挿通孔の孔端が乗り上げたときに、カバー体の端部が自重で滑り落ちることができる角度に設定される。また、該案内傾斜面は、保持受枠の垂直縁方向に向けて下り勾配で傾斜して水平受縁に達するように設けることが好ましい。これにより、連結板部に設けられた長孔状の挿通孔の、保持受枠の垂直縁側に位置する孔端を、案内部材の案内傾斜面上に常時当接させることができる。
【００１０】
上述した床用目地カバー装置にあって、案内部材の目地側に、保持受枠の水平受縁に立設された複数の連結杆を夫々配設し、かつ該連結杆の上部に連結板部の挿通孔より広幅の抜け止め部材を着脱可能に装着することにより、カバー体の一端を一方の床の側縁に連結する連結手段とした構成が提案される。
【００１１】
また、案内部材の上部に、連結板部の挿通孔より広幅の抜け止め部材を着脱可能に装着することにより、カバー体の一端を一方の床の側縁に連結する連結手段とした構成が提案される。
【発明の効果】
【００１２】
本発明は、上述したように、カバー体の一端が乗載される水平受縁と該水平受縁の外端から上方に立ち上がる垂直縁とを備えた保持受枠の、その水平受縁に配設されて、目地の幅方向に沿って延在し、垂直縁方向に向けて下り勾配で傾斜する案内傾斜面を備えた複数の案内部材と、カバー体の一端の下部に配設され、前記案内部材を下方から遊嵌可能な長孔状に形成されて、保持受枠の垂直縁側に位置する孔端が案内部材の案内傾斜面上に当接する挿通孔を備えた複数の連結板部とからなる原位置復帰手段を備えているから、地震等に起因してカバー体が目地方向にずれると、保持受枠の垂直縁側に位置する挿通孔の孔端が案内傾斜面上に一時的に乗り上げる状態となるが、該案内傾斜面が垂直縁方向に向けて下り勾配で傾斜していることにより、カバー体の自重によって挿通孔の孔端が案内傾斜面上を垂直縁方向に向けて滑り落ちてカバー体が原位置に戻る。これにより、保持受枠の垂直縁とカバー体の端縁との間に大きな隙間が生じたままになることを防止することができる。
【００１３】
また、案内部材の目地側に、保持受枠の水平受縁に立設された複数の連結杆を夫々配設し、かつ該連結杆の上部に連結板部の挿通孔より広幅の抜け止め部材を着脱可能に装着することにより、カバー体の一端を一方の床の側縁に連結する連結手段とした構成にあっては、カバー体の一端を一方の床の側縁に上下動可能に連結することができるとともに、カバー体の一端が上動しても抜け止め部材が連結板部の挿通孔の孔縁に上方から当接することにより、カバー体の一端の保持受枠からの脱出が防止され、その連結状態を保持することができる。
【００１４】
また、案内部材の上部に、連結板部の挿通孔より広幅の抜け止め部材を着脱可能に装着することにより、カバー体の一端を一方の床の側縁に連結する連結手段とした構成にあっては、上記と同様に、カバー体の一端を一方の床の側縁に上下動可能に連結することができるとともに、カバー体の一端が上動しても抜け止め部材が連結板部の挿通孔の孔縁に上方から当接することにより、カバー体の一端の保持受枠からの脱出が防止され、その連結状態を保持することができる。さらに、この構成にあっては、保持受枠の水平受縁に連結杆を立設する必要がないため、連結構造を簡単化することができ、生産性を向上させることができる。
【図面の簡単な説明】
【００１５】
【図１】第一実施例にかかる床用目地カバー装置の施工状態を示す縦断面図である。
【図２】同上の床用目地カバー装置を構成するカバー体Ｃの縦断面図である。
【図３】同上のカバー体Ｃと摺動受枠２及び保持受枠１９の平面図である。
【図４】要部を縦断した分解斜視図である。
【図５】（Ａ）は要部の拡大縦断面図、（Ｂ）は要部の拡大横断面図である。
【図６】要部の作用説明図である。
【図７】（Ａ）は第二実施例にかかる案内部材２０を備えた要部の拡大縦断面図、（Ｂ）はその拡大横断面図である。
【図８】連結板部１８の他の配設態様を示す要部の拡大縦断面図である。
【図９】（Ａ）は従来の連結手段ａ部分の拡大縦断面図、（Ｂ）はその作用状態の説明図である。
【発明を実施するための形態】
【００１６】
本発明にかかる床用目地カバー装置の第一実施例を、図１〜図６に基づいて説明する。
【００１７】
図１において、Ａは緩衝機能を備えた免震装置（図示省略）によって下部が支持された免震構造の建造物、Ｂは該建造物Ａの周囲に形成された人工地盤からなる建造物であって、目地ｓを介して隣接している。目地ｓは、建造物Ａの周囲に沿って所定幅で形成され、地震時における建造物Ａと周囲の建造物Ｂとの水平方向の相対的な揺れを吸収し得るようになっている。
【００１８】
前記建造物Ｂの床ｆ2 の側縁には、図１に示すように、後述するカバー体Ｃの厚みに相当する深さで窪ませた支持段縁１が、目地ｓの幅方向（図１において左右方向）に所定幅で形成されており、該支持段縁１には摺動受枠２が配設されている。該摺動受枠２は、支持段縁１の上面を覆う水平状の下部受縁３ａと、該下部受縁３ａの後端から立ち上がり縁３ｂを介して連成されて床ｆ2 の前部上面を覆う水平状の上部受縁３ｃとを備えている。この摺動受枠２は、目地ｓに沿う方向（図１において前後方向）に延在するように配設されており、その長さは複数個のカバー体Ｃを横に並べて配置し得る長さとなっている。
【００１９】
建造物Ａの床ｆ1 と建造物Ｂの床ｆ2 の間には、カバー体Ｃが差し渡され、目地ｓを覆っている。該カバー体Ｃは、目地ｓに沿う方向に複数個が連続状に配設されるものであって、各カバー体Ｃは、図１に示すように、その一端が建造物Ａの床ｆ1 の側縁に、後述する連結手段２７を介して連結されている。各カバー体Ｃは、他端を自由端としており、該自由端が上述した摺動受枠２が配設された支持段縁１上に摺動可能に乗載されている。
【００２０】
各カバー体Ｃは、図２，図３に示すように、上面が開口した浅底矩形状の充填筐体部５と、該充填筐体部５の前部に配設されて前方へ延出された端部カバー板１１とを備えている。充填筐体部５は、ステンレス又はスチールからなる薄肉鋼板が素材に用いられており、矩形状の底板６と、該底板６の目地幅方向に沿う両側縁に夫々立設された左右の側壁板７，７と、前記底板６の後端縁に立設された後壁板８と、前記底板６の前端縁に立設された前壁板９とを備えている。この左右の側壁板７，７と後壁板８の当接縁は溶接を介して固着されている。ここで、左右の側壁板７，７と後壁板８及び前壁板９は、底板６の四辺縁に一体形成された帯板部を上方に向けて略直角に屈曲させることによって設けられている。尚、左右の側壁板７，７と後壁板８及び前壁板９は、底板６と別体形成したものを底板６の四辺縁に溶接を介して固着することにより設けることも可能である。左右の側壁板７，７と後壁板８はその上端縁が内方に向けて帯状に屈曲されており、該屈曲縁が補強縁となっている。また、前記底板６上には、モルタル止めを兼ねた複数の補強杆１０が目地ｓの幅方向に沿って所定間隔で配設されている。該補強杆１０は所要箇所が溶接を介して底板６の上面に固着されており、該補強杆１０によって底板６の面方向の強度を向上させるようにしている。
【００２１】
充填筐体部５の前部に配設された端部カバー板１１は、充填筐体部５の肉厚に比して若干厚肉の鋼板を素材に用いて断面Ｌ形に形成されており、後端に下方に向けて略直角に屈曲された遮蔽壁部１１ａを備えている。該端部カバー板１１は、遮蔽壁部１１ａの左右の側端部が、充填筐体部５の側壁板７，７の前端部に溶接を介して固着されており、該遮蔽壁部１１ａによって充填筐体部５の前部開口が遮蔽されている。また、遮蔽壁部１１ａの前面には、前記底板６の前端縁に立設された前壁板９が溶接を介して固着されている。
【００２２】
尚、各カバー体Ｃの充填筐体部５内には、施工時に周囲の床ｆ1 ，ｆ2（図１参照）上に敷設されるモルタル１２及びタイル１３等からなる舗装材２６と同じ舗装材２６が充填されることとなる。
【００２３】
そして、カバー体Ｃの自由端は、図１に示すように、前壁板９と上述した摺動受枠２の立ち上がり縁３ｂとの間に適宜幅の間隙が生じるようにして摺動受枠２の下部受縁３ａが配設された支持段縁１上に乗載されており、前記間隙を作動間隙１５としている。また、端部カバー板１１は、建造物Ｂの床ｆ2 側に向けて突出されて、摺動受枠２の上部受縁３ｃ上に乗載されており、この端部カバー板１１によって前記作動間隙１５の上方が遮蔽されている。
【００２４】
次に、本発明の要部について説明する。
建造物Ａの床ｆ1 の側縁に連結されるカバー体Ｃの一端には、図３〜図５に示すように、底板６の目地幅方向に沿う両側縁の近傍位置に、後述する案内部材２０と連結杆２２（図４参照）を下方から遊嵌可能な長孔状の挿通孔１６，１６が目地ｓの幅方向に沿って形成されている。該挿通孔１６，１６は、下端部が底板６に溶接された鋼材製の丸パイプからなるモルタル遮断筒１７，１７によって囲繞されており、この各モルタル遮断筒１７で囲繞された底板６の一部領域が、この第一実施例では本発明における挿通孔１６を備えた連結板部１８となっている。
【００２５】
一方、建造物Ａの床ｆ1 の側縁上には、目地ｓに沿う方向に延在するようにして保持受枠１９が配設されている。該保持受枠１９は、図５に示すように、水平受縁１９ａと該水平受縁１９ａの外端から上方に立ち上がる垂直縁１９ｂとを備えた断面Ｌ形に形成されており、水平受縁１９ａの上面には、前記底板６の挿通孔１６，１６に対応する位置に三角ブロック状の案内部材２０，２０が配設されている。各案内部材２０は、目地ｓの幅方向に沿って延在し、かつ、保持受枠１９の垂直縁１９ｂ方向に向けて下り勾配で傾斜して水平受縁１９ａに達する案内傾斜面２１を備えており、下部が溶接を介して水平受縁１９ａに固着されている。ここで、案内傾斜面２１の傾斜角度は、４０°〜５０°程度の急勾配に設定されており、これによって案内傾斜面２１上に乗り上げたカバー体Ｃの端部を自重によって滑り落とすことができるようになっている。案内部材２０，２０は、図５に示すように、水平受縁１９ａ上にカバー体Ｃを構成する充填筐体部５の一端を乗載した状態において、充填筐体部５の底板６に設けられた連結板部１８，１８の挿通孔１６，１６に下方から遊嵌されており、保持受枠１９の垂直縁１９ｂ側に位置する挿通孔１６，１６の孔端１６ａ，１６ａが案内傾斜面２１，２１上に当接されている。そして、この保持受枠１９の案内部材２０，２０と、挿通孔１６，１６を備えた連結板部１８，１８とによってカバー体Ｃの原位置復帰手段が構成されている。また、図５に示すように、水平受縁１９ａ上にカバー体Ｃを構成する充填筐体部５の一端を乗載した定常状態にあって、保持受枠１９の垂直縁１９ｂとカバー体Ｃの端縁との間に生じる隙間ｎが２ｍｍ程度に設定されており、従来構成よりも狭いものとなっている。
【００２６】
また、保持受枠１９の水平受縁１９ａには、その下面側から挿通して該水平受縁１９ａに溶接を介して固着したボルトからなる複数の連結杆２２が、前記連結板部１８の挿通孔１６，１６に対応する位置に夫々立設されている。各連結杆２２は、前記案内部材２０の目地ｓ側に隣接させて配設されており、該連結杆２２と案内部材２０とが溶接を介して固着されている。また、各連結杆２２の上部は、前記案内部材２０より上位となる高さ位置に突出されている。各連結杆２２は、図５に示すように、水平受縁１９ａ上にカバー体Ｃを構成する充填筐体部５の一端を乗載した状態において、前記底板６に設けられた各連結板部１８の挿通孔１６に下方から遊嵌されており、鍔または座金を備えたナットからなる抜け止め部材２３がその上部に螺着により装着されている。該抜け止め部材２３は、連結板部１８の挿通孔１６より広幅に形成されており、これによって、連結板部１８の上方への脱出を防止し得るようになっている。そして、この各連結杆２２と抜け止め部材２３とによって、カバー体Ｃの一端を建造物Ａの床ｆ1 の側縁に連結する連結手段２７が構成されている。また、各挿通孔１６を囲繞するモルタル遮断筒１７の上部は、前記抜け止め部材２３の取付け操作を可能とする操作口２４（図４参照）となっており、該操作口２４には、円筒状の胴部２５ａを下面に備えた遮蔽蓋２５が着脱可能に嵌着されている。
【００２７】
次に、かかる構成からなる床用目地カバー装置の作動態様について説明する。
カバー体Ｃの充填筐体部５内には施工時において、図１に示すように、周囲の床ｆ1 ，ｆ2 上に敷設されるモルタル１２及びタイル１３等からなる舗装材２６と同じ舗装材２６が充填される。また、カバー体Ｃは、舗装材２６が充填された充填筐体部５の上面が、建造物Ａの床ｆ1 の上面及び建造物Ｂの床ｆ2 の上面と略面一になるように配設される。そして、地震時において、建造物Ａと、隣接する建造物Ｂとが近接する方向に相対変位すると、カバー体Ｃの自由端が作動間隙１５の範囲内で支持段縁１上を水平に摺動してその相対変位に追従する。
【００２８】
また、建造物Ａと、隣接する建造物Ｂとが離れる方向に相対変位すると、カバー体Ｃは、その自由端が支持段縁１上を、立ち上がり縁３ｂと逆方向に向けて水平に摺動してその相対変位に追従する。
【００２９】
また、建造物Ａと、隣接する建造物Ｂとが前後方向（目地ｓに沿う方向）に相対変位すると、カバー体Ｃの自由端は、支持段縁１上を前後方向に摺動してその相対変位に追従する。さらに、建造物Ａと、隣接する建造物Ｂとが上下方向に相対変位すると、カバー体Ｃは、連結手段２７により建造物Ａの床ｆ1 の側縁に連結された一端を支点として、建造物Ａもしくは隣接する建造物Ｂの上下動に伴なって傾動して、その相対変位に追従する。
【００３０】
かかる構成にあって、地震或いはカバー体Ｃ上の通行による振動等に起因してカバー体Ｃが目地ｓ方向にずれると、図６に示すように、保持受枠１９の垂直縁１９ｂ側に位置する挿通孔１６の孔端１６ａが案内部材２０の案内傾斜面２１上に一時的に乗り上げる状態となるが、該案内傾斜面２１が垂直縁１９ｂ方向に向けて下り勾配で傾斜していることにより、カバー体Ｃの自重によって挿通孔１６の孔端１６ａが案内傾斜面２１上を垂直縁１９ｂ方向に向けて滑り落ちてカバー体Ｃが原位置（図５（Ａ）参照）に戻る。これにより、保持受枠１９の垂直縁１９ｂとカバー体Ｃの端縁との間に大きな隙間が生じたままになることを防止することができる。
【００３１】
図７は第二実施例を示し、この第二実施例は、各案内部材２０の目地ｓ側の端縁に丸棒状の装着部２８を一体形成したものである。装着部２８には上端に開口する螺子孔２９が形成されており、該螺子孔２９に鍔または座金を備えたボルトからなる抜け止め部材２３’が上方から螺着により装着されている。該抜け止め部材２３’は、連結板部１８の挿通孔１６より広幅に形成されており、これによって、連結板部１８の上方への脱出を防止し得るようになっている。そして、この各案内部材２０の抜け止め部材２３’によって、カバー体Ｃの一端を建造物Ａの床ｆ1 の側縁に連結する連結手段２７が構成されている。その他、第一実施例と共通する構成部分については、第一実施例と同一の符号を付して重複説明を省略する。
【００３２】
かかる構成にあっては、上述した第一実施例と同様に、カバー体Ｃの一端を建造物Ａの床ｆ1 の側縁に上下動可能に連結することができるとともに、カバー体Ｃの一端が上動しても抜け止め部材２３’が連結板部１８の挿通孔１６の孔縁に上方から当接することにより、カバー体Ｃの一端の保持受枠１９からの脱出が防止され、その連結状態を保持することができる。特に、この構成にあっては、保持受枠１９の水平受縁１９ａに連結杆２２（図５参照）を立設する必要がないため、連結構造を簡単化することができ、生産性を向上させることができる。
【００３３】
尚、上述した両実施例では、充填筐体部５を備えたカバー体Ｃにあって、該充填筐体部５の底板６をモルタル遮断筒１７で囲繞した一部領域によって挿通孔１６を備えた連結板部１８を構成するようにしているが、充填筐体部５を備えないカバー体Ｃ、例えば図８に示すように、グレーチング基体３０の上部に平板状のカバー板３１を配設してなるカバー体Ｃ等にあっては、別体形成した連結板部１８をカバー体Ｃの一端の下部に接合することにより、連結板部１８を設けることができる。
【符号の説明】
【００３４】
Ａ  建造物
Ｂ  建造物
Ｃ  カバー体
ｆ1  床
ｆ2  床
ｓ  目地
１６  挿通孔
１６ａ  孔端
１８  連結板部（原位置復帰手段）
１９  保持受枠
１９ａ  水平受縁
１９ｂ  垂直縁
２０  案内部材（原位置復帰手段）
２１  案内傾斜面
２２  連結杆
２３  抜け止め部材
２３’抜け止め部材
２７  連結手段
【図１】
2011047103.tif 000003
【図２】
2011047103.tif 000004
【図３】
2011047103.tif 000005
【図４】
2011047103.tif 000006
【図５】
2011047103.tif 000007
【図６】
2011047103.tif 000008
【図７】
2011047103.tif 000009
【図８】
2011047103.tif 000010
【図９】
2011047103.tif 000011